(57)【特許請求の範囲】
【請求項１】
複数のサーバにそれぞれ割り当てられた複数の第１のポートに接続している第１の接続手段と、
入力装置および出力装置と入出力信号の送受信を行う第２のポートに接続している第２の接続手段と、
複数の前記第１のポートのいずれかと、前記第２のポートとの間の接続を選択的に切り替えるスイッチ手段と、
前記スイッチ手段による切り替えが行われた際に、前記第２のポートと接続された前記第１のポートを介して前記入出力信号の送受信を行っている前記サーバに、操作対象として選択されていることを示す信号を、前記第１のポートおよび前記第２のポートとは異なるインタフェースを介して接続しているネットワークを介して選択信号として送信する送信手段と、
を備えることを特徴とする切替装置。
【請求項２】
前記スイッチ手段は、前記入力装置において選択された前記第１のポートの情報を基に、前記第２のポートと接続する前記第１のポートとの接続を切り替えることを特徴とする請求項１に記載の切替装置。
【請求項３】
前記ネットワーク上の前記サーバのそれぞれのアドレスと、前記サーバがそれぞれ接続されている前記第１のポートの識別情報を関連づけてアドレステーブルとして保存するアドレス管理手段をさらに備え、
前記送信手段は、前記第２のポートと接続された前記第１のポートの前記識別情報に対応した前記アドレス宛に、前記選択信号を送信することを特徴とする請求項１または２いずれかに記載の切替装置。
【請求項４】
前記第１のポートを介して、前記サーバごとに前記アドレスの送信を要求し、前記ネットワークを介して受信する前記サーバのそれぞれの前記アドレスを基に、前記アドレステーブルを生成するアドレステーブル生成手段をさらに備えることを特徴とする請求項３に記載の切替装置。
【請求項５】
請求項１から４いずれかに記載の切替装置と、
複数のサーバと、を備え、
前記サーバは、それぞれ割り当てられた前記第１のポートを介して前記切替装置とそれぞれ接続され、
それぞれの前記サーバは、前記ネットワークを介して前記切替装置とさらに接続されていることを特徴とする情報システム。
【請求項６】
前記サーバは自装置が選択されていることを示す表示を行う表示手段をさらに備え、
前記表示手段は、前記選択信号を受け取った際に、自装置が選択されていることを示す表示を行うことを特徴とする請求項５に記載の情報システム。
【請求項７】
前記第２のポートと接続する前記第１のポートを選択する選択手段を有する入力装置をさらに備え、
前記スイッチ手段は、前記第２のポートが前記選択手段で選択された前記第１のポートと接続されるように切り替えを行うことを特徴とする請求項５または６いずれかに記載の情報システム。
【請求項８】
複数のサーバのいずれかに接続先がそれぞれ割り当てられた複数の第１のポートのいずれかと、入力装置および出力装置と入出力信号の送受信を行う第２のポートとの間の接続を選択的に切り替えるスイッチを内部に備える切替装置が前記スイッチを切り替える際に、
前記切替装置は、前記第２のポートと接続された前記第１のポートを介して前記入出力信号の送受信を行っている前記サーバに、操作対象として選択されていることを示す信号を、前記第１のポートおよび前記第２のポートとは異なるインタフェースを介して接続しているネットワークを介して選択信号として送信することを特徴とする切替方法。
【請求項９】
前記切替装置は、前記ネットワーク上の前記サーバのそれぞれのアドレスと、前記サーバがそれぞれ接続されている前記第１のポートの識別情報を関連づけてアドレステーブルとして保存し、
前記第２のポートと接続された前記第１のポートの前記識別情報に対応した前記アドレス宛に、前記選択信号を送信することを特徴とする請求項８に記載の切替方法。
【請求項１０】
前記サーバは、前記選択信号を受け取った際に、自装置が選択されていることを示す表示を行うことを特徴とする請求項８または９いずれかに記載の切替方法。
【発明の詳細な説明】
【技術分野】
【０００１】
本発明は、複数の中から選択された情報処理装置を操作する技術に関するものであり、特に、操作を行っている情報処理装置を識別する技術に関するものである。
【背景技術】
【０００２】
情報社会の発展とともに必要なデータ処理量等が増大し、複数の情報処理装置を搭載したラックマウント型サーバやブレードサーバなどが広く用いられるようになっている。ラックマウント型サーバ等では、ＫＶＭ（Keyboard, Video, Mouse）スイッチ等の切替装置を用いて接続を切り替えることで、複数のサーバを、１組のキーボードや表示装置で操作することが多い。作業者は、サーバとキーボート等で構成されるコンソールとの間の接続をＫＶＭスイッチ等によって切り替えることで各サーバの操作を行う。
【０００３】
ラックマウント型サーバ等において障害等が発生した際に、サーバから直接、ログを取得したい場合などに、操作を行っているサーバの識別が必要になる場合がある。しかし、ラックマウント型サーバ等では同仕様のサーバが搭載されていることも多く、作業者にとっては、外見ではどのサーバの操作を行っているのかが判りにくい。そのような場合には、例えば、作業者は、ＫＶＭケーブルをたどってサーバを判別することで対応する必要がある。
【０００４】
しかし、そのような方法では作業性が低くなるため、ＫＶＭスイッチ等を介して複数のサーバを操作する情報システムにおいて、操作対象として選択されているサーバを、作業者が、作業性を低下させることなく容易に識別できることが望ましい。また、作業者によってサーバの識別が必要になるのは、障害対応や保守等のときなどに限られていることが多いため、操作を行っているサーバを識別するために要する構成は出来るだけ簡略化されていることが望ましい。そのような、複数のサーバを備える情報システムにおいて、作業者が、操作対象として選択されているサーバを、作業性を低下させることなく容易に識別するため技術としては、例えば、特許文献１のような技術が開示されている。
【０００５】
特許文献１は、キーボード等を備える１台のコンソールでＫＶＭスイッチを介して複数のサーバを操作する情報システムに関するものである。特許文献１のＫＶＭスイッチのユニットは、ＫＶＭスイッチで選択されているサーバの識別番号を表示する機能を備えている。特許文献１のＫＶＭスイッチのユニットは、ＬＥＤランプまたは液晶ディスプレイを備え、サーバに対応するＬＥＤランプの点灯またはサーバの識別番号の表示を行うことで、選択中のサーバがいずれであるかを表示する。特許文献１は、このような構成を備えることで選択されたサーバを認識して、各サーバの処理内容を容易に確認することができるとしている。
【０００６】
また、特許文献２には、切替装置を介して１組のキーボード等でサーバを操作する情報システムが示されている。特許文献２のサーバは、ＵＩＤ（Unit ID）ランプを備えている。特許文献２のサーバのＵＩＤは、キーボードから所定のキーの組み合わせの入力を受けると点灯する。そのため、特許文献２の情報システムでは、作業者がキーボードの所定のキーの組み合わせを押すことで、切替装置で選択されているサーバのＵＩＤランプを点灯することができる。特許文献２は、このような構成を備えることで操作中のサーバを外的に認識することができるとしている。
【先行技術文献】
【特許文献】
【０００７】
【特許文献１】特開２０１３−１３４５９４号公報
【特許文献２】特開２０１０−２０５２３３号公報
【発明の概要】
【発明が解決しようとする課題】
【０００８】
しかしながら、特許文献１の技術は次のような点で十分ではない。特許文献１では、ＫＶＭスイッチで選択されているサーバの情報は、ＫＶＭスイッチに備えられているＬＥＤランプまたは液晶ディスプレイに表示される。そのため、特許文献１の情報システムでは、作業者は、ＫＶＭスイッチが表示する情報を見て稼働しているサーバそのものを識別することはできない。そのため、サーバで直接、作業を行いたい場合などには、他の方法でサーバを識別する必要があり、作業性が低下する。よって、特許文献１の技術は、操作対象として選択されているサーバを、作業性を低下させることなく容易に識別するため技術としては十分ではない。
【０００９】
また、特許文献２では、キーボードにおいて所定のキーの組み合わせでキーが押されたときに、選択されているサーバに所定の信号が送られてＵＩＤランプの点灯が行われている。そのため、作業者は、サーバを選択した後に、ＵＩＤランプを点灯させるための作業を行う必要がある。また、サーバは、切替装置から送られてくる所定の信号を受け付け、ＵＩＤランプの点灯等を行うための構成を備える必要がある。そのため、特許文献２の技術は、装置を複雑化することなく、操作対象として選択されているサーバを、作業性を低下させることなく容易に識別するため技術としては十分ではない。
【００１０】
本発明は、上記の課題を解決するため、装置を複雑化することなく、操作対象として選択されているサーバを、作業性を低下させることなく容易に識別することができる切替装置を得ることを目的としている。
【課題を解決するための手段】
【００１１】
上記の課題を解決するため、本発明の切替装置は、第１の接続手段と、第２の接続手段と、スイッチ手段と、送信手段を備えている。第１の接続手段は、複数のサーバにそれぞれ割り当てられた複数の第１のポートに接続している。第２の接続手段は、入力装置および出力装置と入出力信号の送受信を行う第２のポートに接続している。スイッチ手段は、複数の第１のポートのいずれかと、第２のポートとの間の接続を選択的に切り替える。送信手段は、スイッチ手段による切り替えが行われた際に、第２のポートと接続された第１のポートを介して入出力信号の送受信を行っているサーバに、選択されていることを示す信号を、ネットワークを介して選択信号として送信する。
【００１２】
また、本発明の切替方法は、複数のサーバにそれぞれ割り当てられた複数の第１のポートに接続し、入力装置および出力装置と入出力信号の送受信を行う第２のポートに接続する。本発明の切替方法は、複数の第１のポートのいずれかと、第２のポートとの間の接続を選択的に切り替える。本発明の切替方法は、切り替えが行われた際に、第２のポートと接続された第１のポートを介して入出力信号の送受信を行っているサーバに、選択されていることを示す信号を、ネットワークを介して選択信号として送信する。
【発明の効果】
【００１３】
本発明によると、装置を複雑化することなく、操作対象として選択されているサーバを、作業性を低下させることなく容易に識別することができる。
【図面の簡単な説明】
【００１４】
【図１】本発明の第１の実施形態の構成の概要を示す図である。
【図２】本発明の第２の実施形態の構成の概要を示す図である。
【図３】本発明の第２の実施形態の構成の一部を示す図である。
【図４】本発明の第２の実施形態の構成の一部を示す図である。
【図５】本発明の第２の実施形態における動作フローを示す図である。
【発明を実施するための形態】
【００１５】
（第１の実施形態）
本発明の第１の実施形態について図を参照して詳細に説明する。図１は、本実施形態の切替装置の構成の概要を示したものである。本実施形態の切替装置は、第１の接続手段１と、第２の接続手段２と、スイッチ手段３と、送信手段４を備えている。第１の接続手段１は、複数のサーバにそれぞれ割り当てられた複数の第１のポートに接続している。第２の接続手段２は、入力装置および出力装置と入出力信号の送受信を行う第２のポートに接続している。スイッチ手段３は、複数の第１のポートのいずれかと、第２のポートとの間の接続を選択的に切り替える。送信手段４は、スイッチ手段３による切り替えが行われた際に、第２のポートと接続された第１のポートを介して入出力信号の送受信を行っているサーバに、選択されていることを示す信号を、ネットワークを介して選択信号として送信する。
【００１６】
本実施形態の切替装置では、スイッチ手段３によって第２のポートと接続された第１のポートに対応するサーバに、選択されていることを示す信号が、送信手段４によってネットワークを介して送信されている。そのため、第２のポートと接続された第１のポートに対応するサーバは、ネットワークを介して受信する選択信号を基に、自装置が選択されていることを認識し、所定の表示等を行うことができる。また、サーバが、通常、備えている通信機能等を用いるため、サーバに選択されていることを伝えるために新たに複雑な機構を必要としない。その結果、本実施形態の切替装置を用いることで、装置を複雑化することなく、操作対象として選択されているサーバを、作業性を低下させることなく容易に識別することが可能になる。
【００１７】
（第２の実施形態）
本発明の第２の実施形態について図を参照して詳細に説明する。図２は、本実施形態の情報システムの構成の概要を示したものである。
【００１８】
本実施形態の情報システムは、切替装置１０と、操作部２０と、サーバ３０と、ネットワークハブ４０を備えている。サーバ３０は、複数、備えられている。各サーバ３０と切替装置１０の間、切替装置１０と操作部２０の間は、キーボード等からの入力信号や表示装置への出力信号等を伝送する信号ケーブルで接続されている。また、各サーバ３０と切替装置１０は、ネットワークハブ４０およびネットワークケーブルを介して接続されている。各装置間の信号の伝送や通信は、無線通信によって行われてもよい。
【００１９】
本実施形態の情報システムでは、作業者は、複数のサーバ３０のうちいずれか１台を切替装置１０で選択し、選択したサーバ３０の操作を操作部２０で行う。また、本実施形態の情報システムでは、作業者によって選択されたサーバ３０にネットワークを介して制御信号が送られ、選択されたサーバ３０に備えられたＬＥＤ表示灯の点灯が行われる。本実施形態の情報システムは、ネットワークを介して送信された制御信号を基に、選択されたサーバ３０に備えられたＬＥＤ表示灯の点灯が行われることで、選択中のサーバ３０の視認が可能になることを特徴としている。
【００２０】
切替装置１０は、操作部２０において操作可能なサーバ３０を切り替える機能を有する。本実施形態の切替装置１０は、ＫＶＭ（Keyboard, Video, Mouse）スイッチとしての機能を有している。また、切替装置１０は、スイッチ管理部１１と、表示灯制御部１２をさらに備えている。
【００２１】
スイッチ管理部１１は、操作部２０と接続されているサーバ３０を切り替える機能を有する。スイッチ管理部１１は、制御部５１と、スイッチ部５２と、サーバＩＦ部５３と、コンソールＩＦ部５４をさらに備えている。サーバＩＦ部５３は、接続されるサーバ３０の数に応じて複数、備えられている。
【００２２】
制御部５１は、スイッチ部５２のスイッチ素子を制御して操作部２０に接続されているサーバ３０を切り替える機能を有する。制御部５１は、サーバ切替ボタンや操作部２０において選択されたサーバ３０が操作部２０と接続されるようにスイッチ部５２のスイッチ素子の切り替えを行う。
【００２３】
スイッチ部５２は、操作部２０とサーバ３０を選択的に接続する機能を有する。スイッチ部５２は、スイッチ素子を備え、操作部２０からの信号線をいずれかのサーバ３０からの信号線と接続する。すなわち、操作部２０は複数のサーバ３０の中から選択されたサーバ３０との間で信号の送受信を行うことができる。スイッチ部５２のスイッチ素子は、制御部５１によって制御される。本実施形態の制御部５１およびスイッチ部５２は、第１の実施形態のスイッチ手段３に相当する。
【００２４】
サーバＩＦ部５３は、各サーバ３０との間で信号の送受信を行う機能を有する。サーバＩＦ部５３は、入出力用のポートを備え、各サーバ３０と信号の送受信を行う信号ケーブルが各ポートに接続されている。本実施形態のサーバＩＦ部５３は、第１の実施形態の第１の接続手段１に相当する。
【００２５】
コンソールＩＦ部５４は、操作部２０との間で信号の送受信を行う機能を有する。コンソールＩＦ部５４は、入出力用のポートを備え、操作部２０と信号の送受信を行う信号ケーブルがポートに接続されている。本実施形態のコンソールＩＦ部５４は、第１の実施形態の第２の接続手段２に相当する。
【００２６】
表示灯制御部１２は、操作を行っているサーバ３０を明示するための表示に関する動作を制御する機能を有する。表示灯制御部１２は、点灯制御部６１と、ＮＩＣ  ＩＦ（Network Interface Card Interface）部６２と、アドレス管理部６３をさらに備えている。
【００２７】
点灯制御部６１は、サーバ３０に備えられているＬＥＤ表示灯の点灯および消灯を制御する機能を有する。点灯制御部６１は、操作対象のサーバ３０が接続されているポート番号の情報を制御部５１から受け取ると、アドレス管理部６３を参照して、受け取ったポート番号に接続されているサーバ３０のアドレスの情報を抽出する。点灯制御部６１は、抽出したアドレスとサーバ３０のＬＥＤ表示灯を点灯させる制御信号をＮＩＣ  ＩＦ部６２に送る。また、点灯制御部６１は、ＬＥＤ表示灯を消灯するサーバ３０がある場合には、消灯するサーバ３０のアドレスとＬＥＤ表示灯を消灯させる制御信号をＮＩＣ  ＩＦ部６２に送る。ＬＥＤ表示灯を点灯または消灯させる制御信号には、ＩＰＭＩ（Intelligent Platform Management Interface）コマンドを用いてもよい。
【００２８】
ＮＩＣ  ＩＦ部６２は、ネットワークを介してサーバ３０との通信を行う機能を有する。ＮＩＣ  ＩＦ部６２は、点灯制御部６１からサーバ３０のアドレスとＬＥＤ表示灯を点灯または消灯させる制御信号を受け取ると、指定されたアドレスとＬＥＤ表示灯を点灯または消灯させる制御信号のデータを基に送信用のフレームを生成する。送信用のフレームを生成すると、ＮＩＣ  ＩＦ部６２は、指定されたアドレスのサーバ３０にネットワークを介して生成したフレームを送信する。本実施形態の点灯制御部６１およびＮＩＣ  ＩＦ部６２は、第１の実施形態の送信手段４に相当する。
【００２９】
アドレス管理部６３は、サーバ３０のアドレスのデータを保存する機能を有する。アドレス管理部６３は、サーバ３０が接続されているポートの番号、サーバ３０のアドレスおよびサーバ３０のＬＥＤ表示灯の点灯の有無の情報を関連づけたデータテーブルを保存している。本実施形態のアドレス管理部６３は、サーバ３０が接続されたポートの番号、そのポートに接続されているサーバ３０のＩＰ（Internet Protocol）アドレスおよびサーバ３０のＬＥＤ表示灯の点灯の有無の情報を互いに関連づけて保存している。本実施形態では、ポートの番号とサーバ３０のアドレスの関係等を示すデータテーブルをアドレステーブルとよぶ。ポートの番号とサーバ３０のＩＰアドレスは、作業者等によってあらかじめアドレステーブルに保存されている。アドレステーブルに保存されるサーバ３０のアドレスは、サーバ３０を識別できる情報であればＩＰアドレス以外の他の情報であってもよい。
【００３０】
操作部２０は、作業者がサーバ３０の操作を行うコンソールとして機能を有する。操作部２０は、入力部２１と、サーバ選択部２２と表示部２３をさらに備えている。
【００３１】
入力部２１は、作業者がサーバ３０で作業を行う際にデータを入力する入力機能を有する。入力部２１は、キーボートやマウス等の入力デバイスによって構成されている。
【００３２】
サーバ選択部２２は、操作対象となるサーバ３０の選択を作業者が入力する入力装置としての機能を有する。本実施形態のサーバ選択部２２は、サーバ３０が接続されている各ポートに対応したボタンを備えている。サーバ選択部２２は、各ボタンが押された際にボタンに対応したポートの番号を、コンソールＩＦ部５４を介して制御部５１に送る。ポートの番号とボタンの関係はあらかじめ設定されている。
【００３３】
サーバ選択部２２は、入力部２１と一体の装置として構成されていてもよい。例えば、入力部２１のキーボートの所定のキーまたは所定の組み合わせの複数のキーを押すことで、作業者がサーバ３０を選択する構成としてもよい。また、表示部２３にサーバ３０の選択画面を表示し、入力部２１のキーボートやマウス等によって作業者がサーバ３０を選択するようにしてもよい。
【００３４】
表示部２３は、サーバ３０から送られてくる画像データを表示する機能を有する。表示部２３は、液晶ディスプレイや有機ＥＬディスプレイ等の表示装置によって構成されている。表示部２３は、スイッチ部５２で選択されているサーバ３０から送られてくる映像信号を基に画像の表示を行う。また、表示部２３は、サーバ３０を選択する選択画面を、サーバ３０から送られてくる画像に重ねて表示する機能を備えていてもよい。
【００３５】
サーバ３０は、通常のサーバとしての情報処理機能に加え、操作対象のサーバ３０であることを明示するための表示機能を有する。図３は、本実施形態のサーバ３０の構成の概要を示した図である。
【００３６】
サーバ３０は、ＮＩＣ（Network Interface Card）３１と、ＢＭＣ（Base Management Controller）３２と、識別表示部３３を備えている。
【００３７】
ＮＩＣ３１は、ネットワークを介して他の情報処理装置や通信装置とデータの送受信を行う機能を有する。本実施形態のＮＩＣ３１は、ネットワークインタフェースカードとしての機能を備え、他の情報処理装置や通信装置との通信に加えて、切替装置１０との通信を、ネットワークを介して行う。
【００３８】
ＢＭＣ３２は、サーバ３０の各ハードウェアを制御する機能を有する。ＢＭＣ３２は、識別表示部３３のＬＥＤ表示灯の点灯の有無を制御する機能をさらに有する。ＢＭＣ３２は、切替装置１０から送られてくる制御信号に基づいて、識別表示部３３のＬＥＤ表示灯の点灯または消灯を行う。
【００３９】
識別表示部３３は、切替装置１０による自装置の選択の有無の情報を示す機能を有する。本実施形態の識別表示部３３は、選択の有無を示すＬＥＤ（Light-Emitting Diode）表示灯を備え、自装置が選択されているときはＬＥＤ表示灯を点灯状態にする。また、識別表示部３３は、自装置が選択されていないときに、ＬＥＤ表示灯を消灯状態にする。ＬＥＤ表示灯の点灯または消灯によって選択の有無を表示する構成に代えて、表示色によって選択の有無を表示する構成としてもよい。また、有機ＥＬ素子等の他の発光素子や表示装置を用いて、選択の有無を表示するようにしてもよい。
【００４０】
図４は、本実施形態の情報システムにおいて、サーバ３０をラック３４に取り付けた状態を模式的に示した図である。図４の例は、６台のサーバ３０がラック３４に取り付けられているラックマウント型サーバを示している。また、それぞれのサーバ３０の前面には、識別表示部３３が備えられている。サーバ３０の前面の識別表示部３３のＬＥＤ表示灯を点灯させることで、作業者は、操作中のサーバ３０を視認することができる。各サーバ３０は、ブレードサーバとしてラックに搭載されていてもよい。また、各サーバ３０は、それぞれ独立した筐体の装置として備えられていてもよい。
【００４１】
ネットワークハブ４０は、切替装置１０および各サーバ３０をネットワーク上で接続するハブとして備えられている。ネットワークハブ４０には、スイッチング機能を有するスイッチングハブ等を用いてもよい。ネットワークハブ４０は、さらにルータ等に接続され、他のネットワークと接続されていてもよい。また、ネットワークハブ４０は、ハブに代えてルータによって構成されていてもよい。本実施形態の情報システムにおいて、切替装置１０と各サーバ３０の間のネットワークハブ４０を介したネットワークは、イーサネット（登録商標）として構成されている。
【００４２】
本実施形態の情報システムにおいて、操作対象のサーバ３０の切り替えが行われる際の動作について説明する。図５は、本実施形態の情報システムの動作フローの概要を示したものである。
【００４３】
作業者によってサーバ選択部２２のボタンが押されると、操作部２０で操作を行う対象となるサーバ３０の切り替えの動作が開始される。
【００４４】
ボタンが押されると、サーバ選択部２２は、押されたボタンに対応するポート番号の情報を、コンソールＩＦ部５４を介して制御部５１に送る。制御部５１は、ポート番号の情報を受け取ると、サーバ３０の切り替えの指示が送られてきたと判断し、操作部２０と接続するサーバ３０の切り替えの動作を開始する（ステップ１０１）。制御部５１は、スイッチ部５２を制御して受け取った番号のポートに接続されている信号線と、操作部２０からの信号線とを接続するようにスイッチ素子を動作させる。すなわち、制御部５１は、スイッチ部５２のスイッチ素子の切り替えを行い、新たに選択されたサーバ３０と操作部２０を接続する（ステップ１０２）。
【００４５】
新たに選択されたサーバ３０に対応するポートと操作部２０が接続されると、作業者は新たに選択したサーバ３０を操作することが可能になる。また、新たに選択されたサーバ３０との接続が確立すると、それまで選択されていたサーバ３０と操作部２０の間の接続は切断される。
【００４６】
スイッチ素子を動作させて新たに選択されたサーバ３０と操作部２０の接続を行うと、制御部５１は、点灯制御部６１に、新たに選択されたサーバ３０に対応するポートの番号の情報を送る。ポートの番号の情報を受け取ると、点灯制御部６１はアドレス管理テーブルを参照し点灯状態のサーバ３０の有無を確認する。
【００４７】
点灯状態のサーバ３０がないとき（ステップ１０３でＮｏ）、点灯制御部６１は、アドレス管理部６３を参照して、受け取ったポートの番号に対応し、ＬＥＤ表示灯を点灯する対象となるサーバ３０のＩＰアドレスの情報を取得する（ステップ１０９）。また、点灯制御部６１は、受け取ったポートの番号に対応するアドレステーブルの情報を点灯状態に更新する。
【００４８】
アドレステーブルの情報を更新すると、点灯制御部６１は、点灯するサーバ３０のＩＰアドレスと、ＬＥＤ表示灯を点灯することを示す制御信号をＮＩＣ  ＩＦ部６２に送る。ＩＰアドレスと、ＬＥＤ表示灯を点灯することを示す制御信号を受け取ると、ＮＩＣ  ＩＦ部６２は、ＩＰアドレスと、ＬＥＤ表示灯を点灯することを示す制御信号によって構成されるフレームをネットワークに送信する（ステップ１１０）。
【００４９】
切替装置１０から送信されたフレームは、ネットワークハブ４０等を介してＩＰアドレスで指定されたサーバ３０に送られる。
【００５０】
ＬＥＤ表示灯を点灯することを示す制御信号を含むフレームを受け取ったサーバ３０のＮＩＣ３１は、受け取った情報をＢＭＣ３２に送る。ＢＭＣ３２は、受け取った情報がＬＥＤ表示灯を点灯することを示す制御信号であることを検知すると、識別表示部３３のＬＥＤ表示灯を点灯状態にする（ステップ１１１）。
【００５１】
識別表示部３３のＬＥＤ表示灯が点灯状態になると、作業者は新たに選択したサーバ３０がどれであるかを視認することができる。
【００５２】
ステップ１０３で点灯状態のサーバ３０があるとき（ステップ１０３でＹｅｓ）、点灯制御部６１は、点灯状態のサーバ３０のＩＰアドレスを取得する。点灯状態のサーバ３０のＩＰアドレスの情報を取得すると、点灯制御部６１は、それまで選択されていたサーバ３０のポートの番号に対応するアドレステーブルの情報を消灯状態に更新する。
【００５３】
点灯状態のサーバ３０のポート番号に対応する情報を消灯状態にすると、点灯制御部６１は、アドレス管理部６３を参照して新たに受け取ったポートの番号に対応するサーバ３０のＩＰアドレスの情報を取得する（ステップ１０４）。また、点灯制御部６１は、新たに受け取ったポートの番号に対応するアドレステーブルの情報を点灯状態に更新する。
【００５４】
消灯するサーバ３０と点灯するサーバ３０のＩＰアドレスを取得すると、点灯制御部６１は、消灯するサーバ３０のＩＰアドレスと、ＬＥＤ表示灯を消灯することを示す制御信号をＮＩＣ  ＩＦ部６２に送る。ＩＰアドレスと、ＬＥＤ表示灯を消灯することを示す制御信号を受け取ると、ＮＩＣ  ＩＦ部６２は、ＩＰアドレスと、ＬＥＤ表示灯を消灯することを示す制御信号によって構成されるフレームをネットワークに送信する（ステップ１０５）。
【００５５】
消灯することを示す制御信号によって構成されるフレームは、ネットワークハブ４０等を介してＩＰアドレスで指定されたサーバ３０に送られる。
【００５６】
ＬＥＤ表示灯を消灯することを示す情報を含むフレームを受け取ったサーバ３０のＮＩＣ３１は、受け取った情報をＢＭＣ３２に送る。ＢＭＣ３２は、受け取った情報がＬＥＤ表示灯を消灯することを示す制御信号であることを検知すると、識別表示部３３のＬＥＤ表示灯を消灯状態にする（ステップ１０６）。
【００５７】
また、ステップ１０５においてＬＥＤ表示灯を消灯することを示す情報を送ると、点灯制御部６１は、ＬＥＤ表示灯を点灯するサーバ３０のＩＰアドレスと、ＬＥＤ表示灯を点灯することを示す制御信号をＮＩＣ  ＩＦ部６２に送る。ＩＰアドレスと、ＬＥＤ表示灯を点灯することを示す制御信号を受け取ると、ＮＩＣ  ＩＦ部６２は、ＩＰアドレスと、ＬＥＤ表示灯を点灯することを示す制御信号によって構成されるフレームをネットワークに送信する（ステップ１０７）。
【００５８】
点灯することを示す制御信号によって構成されるフレームは、ネットワークハブ４０等を介してＩＰアドレスで指定されたサーバ３０に送られる。
【００５９】
ＬＥＤ表示灯を点灯することを示す制御信号を含むフレームを受け取ったサーバ３０のＮＩＣ３１は、受け取った情報をＢＭＣ３２に送る。ＢＭＣ３２は、受け取った情報がＬＥＤ表示灯を点灯することを示す制御信号であることを検知すると、識別表示部３３のＬＥＤ表示灯を点灯状態にする（ステップ１０８）。
【００６０】
本実施形態の情報システムにおいて、作業者がサーバ選択部２２で既にＬＥＤ表示灯が点灯しているサーバ３０を繰り返し選択した場合には、ＬＥＤ表示灯を消灯するようにししてもよい。そのような構成とした場合には、再度、同じサーバ選択部２２が選択された際に、ＬＥＤ表示灯を点灯させるトグル動作でＬＥＤ表示灯の点灯と消灯を制御することができる。
【００６１】
作業者がサーバ選択部２２で既にＬＥＤ表示灯が点灯しているサーバ３０を繰り返し選択した場合に、入力信号を無視してＬＥＤ表示灯の点灯を継続するようにしてもよい。そのような構成とした場合は、例えば、ボタンを長押しした場合にＬＥＤ表示灯を消灯するような機能を備えることで、作業者がサーバ選択部２２の操作を誤った場合に操作対象のサーバ３０が切り替わってしまう状態を避けることができる。
【００６２】
本実施形態の情報システムにおいて、切替装置１０は、スイッチ部５２の切り替えが行われ、操作部２０と接続されているサーバ３０が変更になった場合に、ネットワークを介して識別表示部３３のＬＥＤ表示灯の点灯を要求している。ネットワークを介して自装置のアドレス宛に送られてくるＬＥＤ表示灯の点灯を要求する制御信号を受け取ったサーバ３０が、ＬＥＤ表示灯を点灯することで作業者は、実際にどのサーバ３０が選択中なのかを識別することができる。また、本実施形態の情報システムでは、サーバ３０が、通常、備えている通信機能等を用いるため、サーバ３０に選択されていることを伝えるために新たに複雑な機構を必要としない。その結果、本実施形態の情報システムでは、装置を複雑化することなく、操作対象として選択されているサーバ３０を、作業性を低下させることなく容易に識別することが可能になる。
【００６３】
第２の実施形態では、サーバ３０が接続されているポートと対応するサーバ３０のアドレスの関係は、作業者等によってあらかじめアドレス管理部６３のアドレステーブルに設定されていた。このような構成に代えて、切替装置１０が新たなサーバ３０の接続を検知して、自動でポートと対応するサーバ３０のアドレスの関係を設定しアドレステーブルを生成できるようにしてもよい。
【００６４】
自動でアドレステーブルを生成する構成とする場合には、例えば、制御部５１が、操作部２０と接続されているサーバ３０にＩＰアドレスの送信を要求するコマンドをスイッチ部５２およびサーバＩＦ部５３を介して出力する。制御部５１は、サーバ３０の入力装置の信号線を介してＩＰアドレスの送信を要求するコマンドを送る。また、制御部５１は、ポートの番号を点灯制御部６１に送る。自動でアドレステーブルを生成する際に、ＩＰアドレスの送信の要求のコマンド入力は作業者が行ってもよい。
【００６５】
点灯制御部６１は、サーバ３０からネットワークを介して送られてくるＩＰアドレスをＮＩＣ  ＩＦ部６２を介して受信し、制御部５１から受け取ったポートの番号と関連付けてアドレス管理部６３に保存する。このような構成とする場合には、制御部５１は、ＩＰアドレスの送信を要求するコマンドおよびサーバ３０に送るシーケンスをあらかじめ保存している。アドレステーブルを自動で生成することで、新たにサーバ３０が接続された場合であっても、複雑な作業を必要とすることなく操作対象のサーバ３０を識別することが可能になる。
【００６６】
第２の実施形態では、ＬＥＤ表示灯の点灯を行うサーバ３０と消灯を行うサーバ３０にそれぞれ制御信号をそれぞれ送信していたが、点灯を行うサーバ３０のＩＰアドレスと点灯を示す制御信号をブロードキャストで送信するようにしてもよい。そのような構成とした場合には、制御信号を含むフレームを受信したサーバ３０のＢＭＣ３２が、フレーム内に自装置のＩＰアドレスが指定されているかを確認する。
【００６７】
指定されたＩＰアドレスが自装置である場合には、ＢＭＣ３２は、識別表示部３３のＬＥＤ表示灯を点灯する。また、ＬＥＤ表示灯を点灯中に自装以外のＩＰアドレスが指定された制御信号を受け取ったときは、ＢＭＣ３２は、ＬＥＤ表示灯を消灯する。ＬＥＤ表示灯を消灯中に自装以外のＩＰアドレスが指定された制御信号を受け取ったときは、ＢＭＣ３２は受け取った制御信号を破棄する。このような構成とすることで、切替装置２０からサーバ３０へ１つの制御信号を送るのみでＬＥＤ表示灯の点灯と消灯を制御することができるので、必要な処理量を低減することができる。また、ＬＥＤ表示灯の点灯を行うサーバ３０の指定はＩＰアドレス以外の識別子を用いて指定してもよい。例えば、ＬＥＤ表示灯の点灯を行うサーバ３０を、サーバ３０のＭＡＣ（Media Access Control）アドレスを用いて指定してもよい。
【００６８】
第２の実施形態では、切替装置１０で選択されているサーバ３０において識別表示部３３のＬＥＤ表示灯の点灯を行っているが、サーバ３０の故障表示用のＬＥＤ表示灯をさらに備えてもよい。例えば、ネットワークに接続された監視装置やサーバ３０が、サーバ３０の異常を検知したときに、異常が生じたサーバ３０のサーバ３０の故障表示用のＬＥＤ表示灯を点灯せるようにしてもよい。また、そのような構成として場合に、ネットワークを介して故障の情報を受信した切替装置１０および操作部２０のいずれか１つまたは両方に、異常が生じたサーバ３０の情報が表示されるにようにしてもよい。そのような構成にすることで、異常が生じたサーバ３０とその他のサーバ３０のいずれを選択しているかを識別することが容易になり作業性が向上する。また、ネットワークを介して選択されているサーバ３０と選択および故障等の情報を管理することで、新たな装置の追加等を必要とせずに選択中や故障等の生じたサーバ３０の識別を行うことができるので装置構成を簡略化することができる。
【符号の説明】
【００６９】
１    第１の接続手段
２    第２の接続手段
３    スイッチ手段
４    送信手段
１０    切替装置
１１    スイッチ管理部
１２    表示灯制御部
２０    操作部
２１    入力部
２２    サーバ選択部
２３    表示部
３０    サーバ
３１    ＮＩＣ
３２    ＢＭＣ
３３    識別表示部
３４    ラック
４０    ネットワークハブ
５１    制御部
５２    スイッチ部
５３    サーバＩＦ部
５４    コンソールＩＦ部
６１    点灯制御部
６２    ＮＩＣ  ＩＦ部
６３    アドレス管理部
【図１】
0006580934.tif 000002
【図２】
0006580934.tif 000003
【図３】
0006580934.tif 000004
【図４】
0006580934.tif 000005
【図５】
0006580934.tif 000006